(57)【要約】【課題】錠剤切断時や保管時等における取り扱いが容易で、しかも、交換コストの低廉化を図る。【解決手段】基台２と、これに対して揺動自在に枢支連結され、かつ、相対近接揺動に連れて錠剤を切断可能な刃体３を備えた可動体４とを、片手で把持した状態で切断操作可能な大きさに構成するとともに、基台２に、錠剤の切断位置と刃体３の刃先通過位置とが合致する状態で錠剤を受止める位置決め体５を設け、更に、錠剤が入り込み可能な開口を備え、かつ、その開口に刃先を臨ませた状態で刃体３を取り換え自在に収納保持する保持ケース７が、可動体４に対して脱着自在に設けられている。【選択図】        図４
2004291133.tif 000002
【特許請求の範囲】
【請求項１】
錠剤を支持可能な基台と、これに対して揺動自在に枢支連結され、かつ、相対近接揺動に連れて錠剤を切断可能な刃体を備えた可動体とを、片手で把持した状態で切断操作可能な大きさに構成するとともに、基台に、錠剤の切断位置と刃体の刃先通過位置とが合致する状態で錠剤を受止める位置決め体を設け、更に、錠剤が入り込み可能な開口を備え、かつ、その開口に刃先を臨ませた状態で刃体を取り換え自在に収納保持する保持ケースが、可動体に対して脱着自在に設けられている錠剤切断具。
【請求項２】
錠剤が密封包装されている包装体を支持可能な基台と、これに対して揺動自在に枢支連結され、かつ、相対近接揺動に連れて包装体内の錠剤を包装材と共に切断可能な刃体を備えた可動体とを、片手で把持した状態で切断操作可能な大きさに構成するとともに、基台に、包装体の錠剤切断位置と刃体の刃先通過位置とが合致する状態で包装体の錠剤収納部を受止める位置決め体を設け、更に、包装体の錠剤収納部が入り込み可能な開口を備え、かつ、その開口に刃先を臨ませた状態で刃体を取り換え自在に収納保持する保持ケースが、可動体に対して脱着自在に設けられている錠剤切断具。
【請求項３】
前記基台には、位置決め体に受止められた包装体に触れない位置に把持位置を規制する規制部が形成されている請求項２記載の錠剤切断具。
【請求項４】
前記基台と可動体とを相対近接移動させた錠剤切断位置又はそれに近い位置で固定する状態と固定解除状態とに切換え自在な固定手段が設けられている請求項１〜３のいずれか１項に記載の錠剤切断具。
【請求項５】
前記固定手段を構成するに、基台に対して位置決め体を長手方向の複数位置で選択的に係止保持自在に取り付けるとともに、可動体には、位置決め体の操作部が外部に臨む開口を形成し、位置決め体を錠剤受止め位置以外の位置に移動させたとき、位置決め体の操作部の一部が開口周縁に乗り上げて、基台と可動体とを相対近接移動させた錠剤切断位置又はそれに近い位置で固定するように構成されている請求項４記載の錠剤切断具。
【請求項６】
前記保持ケースが、薄肉状のヒンジ部を介して開閉自在に一体形成された左右一対の半割りケース部から構成されていて、両半割りケース部の合わせ面の少なくとも一方には、薄板状の刃体の刃先以外の外側縁全体又はそれの一部が板厚方向から入り込む状態で装着される装着用凹部と、これに装着された刃体の貫通孔又は切欠き部に板厚方向から係合する抜け落ち防止用の突起とが形成されているとともに、両半割りケース部の外面側と可動体に形成された装着用凹部との相対向する部位には、保持ケースを脱着自在に係合保持する係止手段が設けられている請求項１〜５のいずれか１項に記載の錠剤切断具。
【発明の詳細な説明】
【０００１】
【発明の属する技術分野】
本発明は、プレススルーパック（ＰＴＰ）やブリスタ包装体などのように、錠剤が密封包装されている包装体内の錠剤又は包装体から取り出された錠剤（裸錠剤）を使用量や使い易さ等に応じて複数分割（二分割）する場合に用いられる錠剤切断具に関する。
【０００２】
【従来の技術】
従来の錠剤切断具では、テーブル等に載置可能な合成樹脂製の基台の一端部に、該基台の中心線に沿って薄板状の刃体を接着剤等で固着してある合成樹脂製の可動体を、横軸芯周りで上下揺動自在に枢着し、基台と可動体とを片手で把持した状態で切断操作可能な大きさに構成するとともに、基台の上面の一部に、包装体の錠剤収納部から取り出された裸錠剤を載置可能な傾斜面を形成し、この傾斜載置面に、裸錠剤をそれの中心位置と刃体の刃先通過位置とが合致するように滑降案内するＶ字状の位置決め体を一体的に突出形成していた（例えば、特許文献１参照。）。
【０００３】
【特許文献１】
実公平６−４１５４６号公報
【特許文献２】
特開２０００−２７１１９２号公報
【特許文献３】
特開２０００−８４０４９号公報
【０００４】
【発明が解決しようとする課題】
従来の錠剤切断具では、包装体から取り出された裸錠剤を１  個ずつ基台の傾斜載置面に載置して切断する必要があるため、錠剤の切断に手間取るとともに、錠剤の切断粉が周囲に飛散し易い。しかも、刃体が露出状態で基台に固着されているため、錠剤切断時や保管時、持ち運び時等における取り扱いに注意する必要があり、更に、刃体が破損又は錆付いた場合には、錠剤切断具全体を交換する必要があり、交換コストが高騰化する問題がある。
【０００５】
本発明は、上述の実状に鑑みて為されたものであって、第１の主たる課題は、錠剤切断時や保管時等における取り扱いが容易で、しかも、交換コストの低廉化を図ることのできる錠剤切断具を提供する点にあり、第２の主たる課題は、包装体内の錠剤を能率良く容易に切断することができるとともに、錠剤切断時や保管時等における取り扱いが容易で、しかも、交換コストの低廉化を図ることのできる錠剤切断具を提供する点にある。
【０００６】
【課題を解決するための手段】
本発明の請求項１による錠剤切断具の特徴構成は、錠剤を支持可能な基台と、これに対して揺動自在に枢支連結され、かつ、相対近接揺動に連れて錠剤を切断可能な刃体を備えた可動体とを、片手で把持した状態で切断操作可能な大きさに構成するとともに、基台に、錠剤の切断位置と刃体の刃先通過位置とが合致する状態で錠剤を受止める位置決め体を設け、更に、錠剤が入り込み可能な開口を備え、かつ、その開口に刃先を臨ませた状態で刃体を取り換え自在に収納保持する保持ケースが、可動体に対して脱着自在に設けられている点にある。
【０００７】
上記特徴構成によれば、枢支連結された基台と可動体とを片手で保持し、包装体から取り出された錠剤を基台の位置決め体に当て付けることにより、錠剤の切断位置と刃体の刃先通過位置とが合致し、この状態で基台と可動体とを相対近接揺動操作することにより、可動体側の刃体で錠剤が切断される。
【０００８】
しかも、刃体の切れ味が悪化したり、刃体が破損又は錆付いたりした場合、可動体から保持ケースを取り外すことにより、これに収納保持されている刃体のみを自由に取り換えることができるとともに、保持ケースに刃体が装着された状態では、保持ケースに形成された錠剤が入り込み可能な開口に刃体の刃先が臨むだけであり、刃体の大部分が保持ケースに覆われている為、刃体の取り換え時や錠剤切断時、保管時、持ち運び時の取り扱いを安全、容易に行うことができる。
【０００９】
従って、錠剤切断時や保管時、持ち運び時に安全、容易に取り扱うことができるとともに、刃体の取り換え作業の容易化と交換コストの低廉化を図ることができる。
【００１０】
本発明の請求項２による錠剤切断具の特徴構成は、錠剤が密封包装されている包装体を支持可能な基台と、これに対して揺動自在に枢支連結され、かつ、相対近接揺動に連れて包装体内の錠剤を包装材と共に切断可能な刃体を備えた可動体とを、片手で把持した状態で切断操作可能な大きさに構成するとともに、基台に、包装体の錠剤切断位置と刃体の刃先通過位置とが合致する状態で包装体の錠剤収納部を受止める位置決め体を設け、更に、包装体の錠剤収納部が入り込み可能な開口を備え、かつ、その開口に刃先を臨ませた状態で刃体を取り換え自在に収納保持する保持ケースが、可動体に対して脱着自在に設けられている点にある。
【００１１】
上記特徴構成によれば、枢支連結された基台と可動体とを片手で保持し、他方の手に把持された包装体の薬剤収納部を、基台の位置決め体に当て付けることにより、包装体の錠剤切断位置と刃体の刃先通過位置とが合致し、この状態で基台と可動体とを相対近接揺動操作することにより、可動体側の刃体で包装体内の錠剤が包装材と共に切断される。
【００１２】
しかも、刃体の切れ味が悪化したり、刃体が破損又は錆付いたりした場合、可動体から保持ケースを取り外すことにより、これに収納保持されている刃体のみを自由に取り換えることができるとともに、保持ケースに刃体が装着された状態では、保持ケースに形成された包装体の錠剤収納部が入り込み可能な開口に刃体の刃先が臨むだけであり、刃体の大部分が保持ケースに覆われている為、刃体の取り換え時や錠剤切断時、保管時、持ち運び時の取り扱いを安全、容易に行うことができる。
【００１３】
従って、包装体内の錠剤を能率良く容易に切断することができるばかりでなく、切断粉の飛散も少なくなり、錠剤切断時や保管時、持ち運び時に安全、容易に取り扱うことができ、しかも、刃体の取り換え作業の容易化と交換コストの低廉化を図ることができる。
【００１４】
本発明の請求項３による錠剤切断具の特徴構成は、前記基台に、位置決め体に受止められた包装体に触れない位置に把持位置を規制する規制部が形成されている点にある。
【００１５】
上記特徴構成によれば、枢支連結された基台と可動体とを片手で保持し、他方の手に把持された包装体の薬剤収納部を基台の位置決め体に当て付ける際、基台側に添えられる指の把持位置が規制部で規制されているので、位置決め体に対する包装体の当て付けが指で阻止されたり、或いは、位置決め体に当て付けられていた包装体が指で押されたりすることがなく、位置決め体による包装体の錠剤収納部の位置決め機能が正確になり、切断ミスによる錠剤の廃棄を抑制することができる。
【００１６】
本発明の請求項４による錠剤切断具の特徴構成は、前記基台と可動体とを相対近接移動させた錠剤切断位置又はそれに近い位置で固定する状態と固定解除状態とに切換え自在な固定手段が設けられている点にある。
【００１７】
上記特徴構成によれば、保管時や持ち運び時において、基台と可動体とを錠剤切断位置又はそれに近い位置にまで相対近接移動操作して、固定解除状態にある固定手段を固定状態に操作することにより、基台と可動体とを錠剤切断位置又はそれに近い位置で固定することができるので、基台と可動体とが開き揺動して刃体の刃先が外部に大きく露出することがなく、安全かつコンパクトに格納することができる。
【００１８】
本発明の請求項５による錠剤切断具の特徴構成は、前記固定手段を構成するに、基台に対して位置決め体を長手方向の複数位置で選択的に係止保持自在に取り付けるとともに、可動体には、位置決め体の操作部が外部に臨む開口を形成し、位置決め体を錠剤受止め位置以外の位置に移動させたとき、位置決め体の操作部の一部が開口周縁に乗り上げて、基台と可動体とを相対近接移動させた錠剤切断位置又はそれに近い位置で固定するように構成されている点にある。
【００１９】
上記特徴構成によれば、錠剤切断時に、基台に対して長手方向の複数位置で選択的に係止保持自在な位置決め体を錠剤受止め位置に操作すると、錠剤切断位置と刃体の刃先通過位置とが合致する状態で包装体の錠剤収納部又は包装体から取り出された錠剤を正確に受止めることができ、また、保管時や持ち運び時においては、位置決め体を錠剤受止め位置以外の位置に操作すると、位置決め体の操作部の一部が可動体に形成された開口の周縁に乗り上げ、基台と可動体とを相対近接移動させた錠剤切断位置又はそれに近い位置で固定することができる。
【００２０】
従って、包装体の錠剤収納部又は包装体から取り出された錠剤に対する位置決め体をロック部材に兼用するから、基台と可動体とを相対近接移動させた錠剤切断位置又はそれに近い位置で固定するための固定手段を製造コスト面で有利に構成することができるとともに、構造の簡素化も図ることができる。
【００２１】
本発明の請求項６による錠剤切断具の特徴構成は、前記保持ケースが、薄肉状のヒンジ部を介して開閉自在に一体形成された左右一対の半割りケース部から構成されていて、両半割りケース部の合わせ面の少なくとも一方には、薄板状の刃体の刃先以外の外側縁全体又はそれの一部が板厚方向から入り込む状態で装着される装着凹部と、これに装着された刃体の貫通孔又は切欠き部に板厚方向から係合する抜け落ち防止用の突起とが形成されているとともに、両半割りケース部の外面側と可動体に形成された装着用凹部との相対向する部位には、保持ケースを脱着自在に係合保持する係止手段が設けられている点にある。
【００２２】
上記特徴構成によれば、薄板状の刃体を可動体に装着する場合、ヒンジ部を支点として開き操作された両半割りケース部の合わせ面のうち、少なくとも一方に形成された抜け落ち防止用の突起に対して、刃体に形成された貫通孔又は切欠き部を係合させるとともに、合わせ面の装着用凹部に対して刃体を板厚方向から入り込み装着したのち、ヒンジ部を支点として両半割りケース部を閉じ操作すると、保持ケースに形成された包装体の錠剤収納部又は包装体から取り出された錠剤が入り込み可能な開口に刃体の刃先が臨むだけで、刃体の大部分が保持ケースに覆われている。それ故に、両半割りケース部の外面側と可動体の装着用凹部との相対向する部位に設けられた係止手段により、可動体の装着用凹部に対して保持ケースを脱着する場合でも、安全、容易に取扱うことができる。
【００２３】
従って、保持ケースに対する刃体の交換操作を迅速、容易に行うことができるとともに、可動体の装着用凹部に対する保持ケースの脱着操作も安全、容易に行うことができる。
【００２４】
【発明の実施の形態】
〔第１実施形態〕
図１〜図１４は、医療分野で用いられる錠剤切断具を示し、錠剤Ｔが密封包装されている包装体１及びこれから取り出された錠剤（裸錠剤）Ｔを択一的に載置支持可能な合成樹脂製の基台２と、これに対して横軸芯Ｘ周りで上下揺動自在に枢支連結された合成樹脂製の可動体４とが、片手で把持した状態で切断操作可能な大きさに構成され、可動体４には、横軸芯Ｘ周りでの相対近接揺動に連れて包装体１内の錠剤Ｔを包装材１と共に切断可能で、かつ、裸錠剤Ｔも単独で切断可能な薄板状の刃体３が装着されているとともに、基台２には、包装体１又は裸錠剤Ｔの錠剤切断位置と刃体３の刃先通過位置とが合致する状態で包装体１の錠剤収納部１Ａと裸錠剤Ｔとを択一的に受止める合成樹脂製の位置決め体５が設けられ、更に、包装体１の錠剤収納部１Ａと裸錠剤とが択一的に入り込み可能な開口６を備え、その開口６に刃先３ａを臨ませた状態で刃体３を取り換え自在に収納保持する合成樹脂製の保持ケース７が、可動体４に形成された装着用凹部４Ｆに対して脱着自在に係合保持されている。
【００２５】
また、基台２と可動体４とを開き方向（離間方向）に弾性復元力で揺動付勢する弾性付勢手段Ａと、基台２と可動体４とを最大限に相対近接移動させた錠剤切断位置で固定する状態と固定解除状態とに切換え自在な固定手段Ｂと、弾性付勢手段Ａの弾性復元力に抗して基台２と可動体４とを錠剤切断位置から所定距離だけ開き揺動させた切断待機位置で係止保持可能で、かつ、開き方向への一定以上の操作力が加えられたときに係合解除される仮止め手段Ｃとが設けられているとともに、基台２には、位置決め体５に受止められた包装体１に触れない位置に把持位置を規制する規制部８が形成されている。
【００２６】
前記包装体１は、図９、図１３、図１４に示すように、プレススルーパック包装体であって、その表面側包装材１ａは、ポリ塩化ビニルやポリプロピレン等の熱可塑性樹脂からなる透明な基材シートから構成されていて、縦横に所定ピッチを隔てた複数の部位に、錠剤Ｔを収納する円筒状の錠剤収納部１Ａが膨出成形されている。
【００２７】
また、前記包装体１の底面側包装材１ｂは、表面側包装材１ａ側の各錠剤収納部１Ａの開口を密封するためのヒートシール層を備えたアルミニウム箔や薄いリジッドプラスチックシート等から構成されていて、この底面側包装材１ｂを指操作で押し破ることにより、各錠剤収納部１Ａ内の錠剤Ｔを取り出し得るように構成されている。
【００２８】
前記基台２は、図１〜図４に示すように、テーブル等に安定載置可能な横断面形状が下向きコの字状の底板部２Ａと、底板部２Ａの上面の左右両側に沿って一体的に立設される側板２Ｂとを主要構成として備えていて、底板部２Ａの前部を、他の部分の左右幅よりも大なる長径の円弧状に形成して、その境界箇所の左右の弧状張り出し部２ａをもって、基台２側に添えられる人差し指の把持位置が位置決め体５で受止められた包装体１の受止め領域内にずれ動くことを阻止する前記の規制部８が構成されている。
【００２９】
そのため、枢支連結された基台２と可動体４とを片手で保持し、他方の手に把持された包装体１の薬剤収納部１Ａを基台２の位置決め体５に当て付ける際、基台２側に添えられる人差し指の把持位置が規制部８を構成する左右の弧状張り出し部２ａで接当規制されているので、位置決め体５に対する包装体１の当て付けが受止め領域内に侵入した人差し指で阻止されたり、或いは、位置決め体５に当て付けられていた包装体１が受止め領域内に侵入する人差し指で押されたりすることがなく、位置決め体５による包装体１の錠剤収納部１Ａの位置決めを常に正確に行うことができる。
【００３０】
また、基台２の底板部２Ａの後部側には、弾性付勢手段Ａの構成部材で、圧縮コイルスプリング１０の下端部が外嵌装着される十字柱状の第１バネ受け部１１が一体的に突出形成されているとともに、左右の側板部２Ｂの後部には、可動体４の両側板部４Ｂの後部に形成された枢支孔４Ｅに対して左右方向の内方側から横軸芯Ｘ周りで回動自在に嵌合される枢支軸部２Ｃが一体的に突出形成され、更に、底板部２Ａの円弧状前部の下面には、同芯円の複数の円環状リブ２Ｄが一体形成されている。
【００３１】
更に、図４〜図６に示すように、基台２の底板部２Ａの上面及び両側板部２Ｂの内面が、位置決め体５を長手方向に沿って摺動自在に案内するためのガイド面に構成されているとともに、各側板部２Ｂの内面は、図４、図１１に示すように、位置決め体５の操作部５Ｂの左右両側脇に形成された摺接ガイド上面５ｂに摺接又は近接して、位置決め体５の上方への抜け出し移動を阻止する抜止め突条１２が一体形成されている。
【００３２】
前記可動体４は、図１〜図４に示すように、弧状に隆起する指押え部４ａが前部側に形成された平面視略長方形状の天板部４Ａと、これの左右両側縁に沿って一体形成される側板部４Ｂと、天板部４Ａの前端縁に沿って一体形成される前板部４Ｃと、天板部４Ａの後端縁に沿って一体形成される弧状の後板部４Ｄとを主要構成として備えていて、天板部４Ａの後部側には、弾性付勢手段Ａの構成部材で、圧縮コイルスプリング１０の上端部が外嵌装着される十字柱状の第２バネ受け部１３が一体的に突出形成されているとともに、天板部４Ａの前後中央側には、位置決め体５の操作部５Ｂのうち、頂部に形成された平面視略長円形状の指当て部５ａが上方に少し突出する状態で臨む長円形状の開口１４が貫通形成されている。
【００３３】
天板部４Ａの指押え部４ａの内面と前板部４Ｃの内面とに亘って、錠剤切断位置を通る前後方向中心線に沿う補強板部４Ｇが一体形成され、天板部４Ａの指押え部４ａと両側板部４Ｂの前部及び前板部４Ｃとで囲まれた部位には、図６、図１０に示すように、保持ケース７を下方から脱着自在に係合保持するための装着用凹部４Ｆが形成されているとともに、天板部４Ａの指押え部４ａの中央には、部分球状に窪む指当て凹部４ｂが形成されている。
【００３４】
前記位置決め体５は、図４〜図６に示すように、基台２の両側板部２Ｂの対向面間寸法  （内寸法）よりも僅かに小なる幅に構成された摺動本体５Ａの前部に、平面視で略ハの字状に開口する大径錠剤から中径錠剤用（図１３参照）の第１錠剤ガイド部５Ｃと、平面視で略Ｕ字状に開口する小径錠剤用（図１４参照）の第２錠剤ガイド部Ｄとが連続形成されているとともに、摺動本体５Ａの前後中央部には、後方及び下方に向かって開口する中空状の操作部５Ｂが上方に一体的に突出形成され、更に、摺動本体５Ａの後半部には、幅方向内方への弾性変形を許容するための半楕円状の抜き孔５Ｅが形成されている。
【００３５】
また、摺動本体５Ａの前部下面には、包装体１を構成する表面側包装材１ａと底面側包装材１ｂとの密着重合部分が入り込み可能な差込凹部５Ｆが形成されているとともに、摺動本体５Ａの上面のうち、操作部５Ｂの左右両側脇に形成された摺接ガイド上面５ｂには、抜止め突条１２の後端部との接当によって、位置決め体５の第１・第２錠剤ガイド部５Ｃ、５Ｄの前方側への最大突出位置を規制するストッパー部５Ｇが一体的に突出形成されている。
【００３６】
前記固定手段Ｂを構成するに、図３、図４に示すように、摺動本体５Ａの後半部の左右両側面に、基台２の各側板部２Ｂの内面の前後二箇所に形成された上下方向に沿う横断面形状が略半円状の第１・第２係止溝１５，１６に対して択一的に係合する係合突条１７が一体的に突出形成され、基台２に対して位置決め体５が長手方向の二位置で選択的に係止保持自在に構成されている。
【００３７】
換言すれば、ストッパー部５Ｇと抜止め突条１２の後端部とが当接し、かつ、左右の係合突条１７が前方の第１係止溝１５に係合した錠剤受止め位置と、左右の係合突条１７が後方の第２係止溝１６に係合した固定位置とに変更自在に構成されているとともに、可動体４の開口１４の後端縁には、錠剤受止め位置にある位置決め体５を錠剤受止め位置以外の位置である固定位置に移動させたとき、位置決め体５の操作部５Ｂの後端部５ｄが乗り上げ移動する固定用受け部１８を突出形成し、更に、操作部５Ｂの後端部５ｄの下面には、後方ほど上方に位置するテーパー状の押え面５ｅを形成し、もって、位置決め体５を錠剤受止め位置から固定位置に移動させたとき、操作部５Ｂの後端部５ｄにおける押え面５ｅが開口１４周縁の固定用受け部１８に乗り上げて、基台２と可動体４とを相対近接移動させた錠剤切断位置で固定するように構成されている。
【００３８】
前記保持ケース７は、図４、図７〜図１０、図１２に示すように、揺動支点となる薄肉部分を備えたヒンジ部７Ｃを介して開閉自在に一体形成された左右一対の半割りケース部７Ａ，７Ｂから構成されていて、両半割りケース部７Ａ，７Ｂの合わせ面７ａ，７ｂの両方には、薄板状の刃体３の刃先３ａ以外の外側縁全体が板厚方向から入り込む状態で装着される装着用凹部２０が形成され、一方の半割りケース部７Ａの中央側に一体的に突出形成された中空円筒状の第１取付け基部１９には、半割りケース部７Ａの装着用凹部２０に装着された刃体３の貫通孔３ｂに板厚方向から係合する抜け落ち防止用の突起２１が一体形成されているとともに、他方の半割りケース部７Ｂの中央側には、両半割りケース部７Ａ，７Ｂが閉じられたとき、抜け落ち防止用突起２１と嵌合して両半割りケース部７Ａ，７Ｂを閉じ姿勢に維持する係合筒部２２が一体的に突出形成されている。
【００３９】
また、両半割りケース部７Ａ，７Ｂの上面後部には、両半割りケース部７Ａ，７Ｂが閉じられたとき、左右方向に沿う一連の半円柱状の突条体を構成する第２取付け基部２３が一体形成され、一方の半割りケース部７Ａの第２取付け基部２３には、左右方向に沿う係合ピン２４が形成されているとともに、他方の半割りケース部７Ｂの第２取付け基部２３には、両半割りケース部７Ａ，７Ｂが閉じられたとき、係合ピン２４と嵌合して両半割りケース部７Ａ，７Ｂを閉じ姿勢に維持する係合孔２５が形成され、更に、一方の半割りケース部７Ａの後壁部７ｄの下部には、両半割りケース部７Ａ，７Ｂが閉じられたとき、他方の半割りケース部７Ｂの後壁部７ｅの外面に接触するずれ止め用の突片２６が一体的に突出形成されている。
【００４０】
前記抜け落ち防止用突起２１と係合筒部２２との係合構造、及び、係合ピン２４と係合孔２５との係合構造をもって、両半割りケース部７Ａ，７Ｂを閉じ姿勢に維持する係合手段が構成されている。
【００４１】
また、両半割りケース部７Ａ，７Ｂの外面の上下中間位置には、可動体４の装着用凹部４Ｆの開口縁４ｄに接当するフランジ部２７が突出形成されているとともに、両半割りケース部７Ａ，７Ｂが閉じ姿勢にあるとき、平面視略Ｕ字状に密着状態で屈曲形成されるヒンジ部７Ｃが、可動体４の前板部４Ｃの中央位置に形成された係合孔２８に係合可能な係合突起に兼用構成され、更に、両半割りケース部７Ａ，７Ｂの後壁部７ｄの上端部には、可動体４の前板部４Ｃの係合孔２８にヒンジ部７Ｃを係合させた状態で、その係合箇所を支点として保持ケース７を可動体４の装着用凹部４Ｆ内に押し込み操作したとき、可動体４の側板部４Ｂの内面に形成された係合突起２９に弾性変形しながら係合する係合段部３０ａと、係合突起２９に対して係合段部３０ａを係合離脱方向である前方下方側に揺動操作するための係合解除用操作部３０ｂを備えた弾性係止体３０が一体形成されている。
【００４２】
更に、可動体４の補強板部４Ｇには、可動体４の前板部４Ｃの係合孔２８にヒンジ部７Ｃを係合させた状態で、その係合箇所を支点として保持ケース７を可動体４の装着用凹部４Ｆ内に押し込み操作したとき、保持ケース７の両第２取付け基部２３が弾性変形しながら係合する係合溝部３１が形成されている。
【００４３】
そして、係合突起を兼用構成する保持ケース７のヒンジ部７Ｃと可動体４の前板部４Ｃの係合孔２８との係合構造と、保持ケース７の弾性係止体３０の係合段部３０ａと可動体４の側板部４Ｂの係合突起２９との係合構造、及び、保持ケース７の両第２取付け基部２３と可動体４の補強板部４Ｇの係合溝部３１との係合構造をもって、両半割りケース部７Ａ，７Ｂの外面側と可動体４に形成された装着用凹部４Ｆとの相対向する部位に設けられる保持ケース７を脱着自在に係合保持する係止手段Ｆが構成されている。
【００４４】
また、前記両半割りケース部７Ａ，７Ｂの装着用凹部４Ｆに刃体３が入り込み装着されたとき、刃体３の刃先３ａから保持ケース７の開口６周縁までの間に０．５ｍｍ前後の微小な間隙が形成されていて、刃体３の刃先３ａに対する安全性を高めるとともに、錠剤切断時において、保持ケース７の下端の一部が直接基台２の底板部２Ａの上面に接当しても、包装体１の底面側包装材１ｂが切断分離されないように構成されている。
【００４５】
錠剤切断時において、保持ケース７の下端の一部が、基台２の底板部２Ａの上面に載置支持された包装体１のうち、表面側包装材１ａと底面側包装材１ｂとの密着重合部分の上面に接当した場合には、包装体１を構成する表面側包装材１ａと底面側包装材１ｂとの密着重合部分が切断分離されることはない。それでいて、刃体３の刃先３ａは密着重合部分の上面近傍にまで移動しているため、錠剤収納部１Ａ内の錠剤Ｔは確実に切断される。
【００４６】
前記仮止め手段Ｃを構成するに、図１、図４に示すように、可動体４の両側板部４Ｂに形成された係合突起２９の下端部に、後方側に突出する係合部３２を一体形成するとともに、基台２の各側板部２Ｂの前部には、基台２に対して可動体４が錠剤切断位置から切断待機位置まで開き揺動したとき、可動体４の係合部３２が下方から係合する半円上の被係合部３３と、切断待機位置にある可動体４に対して開き方向への一定以上の操作力が加えられたとき、係合部３２との係合が解除される位置にまで被係合部３３を後方側に弾性変形させるための切り込み３４が形成されている。
【００４７】
〔その他の実施形態〕
（１）上述の第１実施形態では、位置決め体５を備えた基台２が下方に、刃体３を備えた可動体４が上方に位置する形態で使用する錠剤切断具について説明したが、刃体３を備えた可動体４が下方に、位置決め体５を備えた基台２が上方に位置する形態で使用する錠剤切断具に本発明の技術を適用しても良い。
【００４８】
（２）上述の第１実施形態では、固定手段Ｂにより、基台２と可動体４とを最大限に相対近接移動させた錠剤切断位置で固定するように構成したが、基台２と可動体４とを錠剤切断位置に近い位置で固定するように構成しても良い。
【００４９】
（３）上述の第１実施形態では、基台２に対して位置決め体５を長手方向の二位置で選択的に係止保持自在に構成したが、基台２に対して位置決め体５を長手方向の三位置以上の複数位置で選択的に係止保持自在に構成しても良い。
この場合、錠剤の種類や一度に切断すべき錠剤の数等に応じて、刃体３に対する位置決め体５の取付け位置を前後方向に変更することができる。
【００５０】
（４）上述の第１実施形態では、基台２と可動体４とを開き方向（離間方向）に弾性復元力で揺動付勢する弾性付勢手段Ａとして、圧縮コイルスプリング１０を用いたが、板バネ等を用いて弾性付勢手段Ａを構成しても良い。
【００５１】
（５）上述の第１実施形態では、前記刃体３の中央側に貫通孔３ｂを形成して、保持ケース７に形成された抜け落ち防止用の突起２１を、装着用凹部２０に装着された刃体３の貫通孔３ｂに係合させるように構成したが、刃体３の周縁の一部に開口する一つ又は複数の切欠き部に形成して、保持ケース７に形成された抜け落ち防止用の突起２１を、装着用凹部２０に装着された刃体３の切欠き部に係合させるように構成しても良い。
【００５２】
（６）上述の第１実施形態では、抜け落ち防止用突起２１と係合筒部２２との係合構造と係合ピン２４と係合孔２５との係合構造とをもって、両半割りケース部７Ａ，７Ｂを閉じ姿勢に維持する係合手段を構成したが、この係合手段としては、両半割りケース部７Ａ，７Ｂを閉じ姿勢に維持することのできるものであれば、如何なる構造のものを採用しても良い。
【００５３】
（７）両半割りケース部７Ａ，７Ｂの外面側と可動体４に形成された装着用凹部４Ｆとの相対向する部位に設けられる係止手段Ｆとしては、保持ケース７を脱着自在に係合保持することのできるものであれば、如何なる構造のものを採用しても良い。
【００５４】
（８）上述の第１実施形態では、刃体３の刃先３ａを、保持ケース７の開口６周縁から約０．５ｍｍ位の微小な間隙をおいて内方に入り込み配置したが、刃体３の刃先３ａを保持ケース７の開口６周縁と同じ位置に配置しても良く、更に、刃体３の刃先３ａを、保持ケース７の開口６周縁よりも外方に若干突出させても良い。
【図面の簡単な説明】
【図１】本願発明の第１実施形態を示す錠剤切断具の最大開き時の側面図
【図２】錠剤切断具の平面図
【図３】図２におけるＩＩＩ−ＩＩＩ線断面図
【図４】錠剤切断具の分解斜視図
【図５】図１におけるＶ−Ｖ線断面図
【図６】図３におけるＶＩ−ＶＩ線断面図
【図７】保持ケースの組み立て時の斜視図
【図８】保持ケースの分解斜視図
【図９】錠剤切断時の要部の拡大断面側面図
【図１０】保持ケースの装着時における要部の拡大断面側面図
【図１１】図３におけるＸＩ−ＸＩ線断面図
【図１２】保持ケースの装着状態を示す要部の拡大断面正面図
【図１３】大径錠剤又は中径錠剤の切断時における要部の平面図
【図１４】小径錠剤の切断時における要部の平面図
【符号の説明】
Ｂ      固定手段
Ｆ      係止手段
Ｔ      錠剤
１      包装体
１Ａ    錠剤収納部
２      基台
３      刃体
３ａ    刃先
３ｂ    貫通孔
４      可動体
４Ｆ    装着用凹部
５      位置決め体
５Ｂ    操作部
６      開口
７      保持ケース
７Ａ    半割りケース部
７Ｂ    半割りケース部
７Ｃ    ヒンジ部
７ａ    合わせ面
７ｂ    あわせ面
１４    開口
１８    開口周縁（固定用受け部）
２０    装着用凹部
２１    抜け落ち防止用突起
【図１】
2004291133.tif 000003
【図２】
2004291133.tif 000004
【図３】
2004291133.tif 000005
【図４】
2004291133.tif 000006
【図５】
2004291133.tif 000007
【図６】
2004291133.tif 000008
【図７】
2004291133.tif 000009
【図８】
2004291133.tif 000010
【図９】
2004291133.tif 000011
【図１０】
2004291133.tif 000012
【図１１】
2004291133.tif 000013
【図１２】
2004291133.tif 000014
【図１３】
2004291133.tif 000015
【図１４】
2004291133.tif 000016